(57)【要約】      （修正有）【課題】干潟における貝類の養殖育成に関して、特に巻貝によるアサリなどへの食害を未然に防ぐ為の二枚貝保護ネット並びに蓋ネット及びその着脱装置の提供。【解決手段】全体が概ね繊維素材によるネットで構成され、本体１は上部及び底部３に開口部を有し、上部開口部は開閉に際し蓋ネットを設けて成る方形状の立体形を呈した二枚貝保護ネット並びにその着脱装置において、帯状着脱具７の二本のロープ状形態の着脱部材間へ板状着脱具１１の鏃状部１０及び棒状体を抜き差し容易として成る着脱装置を、前記する蓋ネットの底面及び本体１の上部開口部の外周辺へ、帯状着脱具７、板状着脱具１１のそれぞれ一長辺を固着して、帯状着脱具７及び板状着脱具１１の重なり合う額縁状に設けて成る着脱装置を取り付けたものである。【選択図】図１
0003137857.tif 000002
【実用新案登録請求の範囲】
【請求項１】
全体が概ね繊維素材によるネットで構成され、本体は上部及び底部に開口部を有し、上部開口部は開閉に際し蓋ネット及び着脱装置を設けて成る方形状の立体形を呈した二枚貝保護ネットにおいて、
上記する本体の上部開口部全体を塞ぐ蓋ネットの形状が台形状或いは角錐状或いはドーム状の斜面を形成する立体形を呈し、該蓋ネットの底面は本体の上部開口部に一致し且つ、頭頂部へ浮体を設けて構成される蓋ネット並びに、細長い形状をした帯状ネットの長手方向の略中心線上へ、弾力性或いは柔軟性を有す二本のロープ状形態の着脱部材を並行配置し、上記する帯状ネットと同形状で同じ大きさから成る着脱部材押えネットでこれを覆い、二本の着脱部材の左右直近を配置方向に沿って帯状ネット及び着脱部材押えネットと共に着脱部材をネットに固着すると共に、着脱部材の互いが接し合う状態を形成した帯状着脱具と、
幅、長さが着脱部材の幅、長さに概ね一致し且つ、柔軟性と弾力性を有した板状基体の幅広面長手方向の略中心線上へ、帯状着脱具の厚さ相当の長さを有す棒状体を適当なる間隔で垂直配列させて設けると共に、棒状体先端は菱形状若しくは楕円状の鏃状部に形成した板状着脱具とから成り、
前記、帯状着脱具の二本のロープ状形態の着脱部材間へ板状着脱具の鏃状部及び棒状体を抜き差し容易として成る着脱装置を、
前記する蓋ネットの底面及び本体の上部開口部の外周辺へ、帯状着脱具、板状着脱具のそれぞれ一長辺を固着して、帯状着脱具及び板状着脱具が重なり合う額縁状に設けて成る着脱装置を取り付けた二枚貝保護ネット。
【請求項２】
本体の上部開口部全体を塞ぐ蓋ネットの形態が台形状或いは角錐状或いはドーム状の斜面を形成する立体形を呈し、該蓋ネットの底面は本体の上部開口部に一致し且つ、頭頂部へ浮体を設けて構成される蓋ネット。
【請求項３】
細長い形状をした帯状ネットの長手方向の略中心線上へ、弾力性或いは柔軟性を有す二本のロープ状形態の着脱部材を並行配置し、上記する帯状ネットと同形状で同じ大きさから成る着脱部材押えネットでこれを覆い、二本の着脱部材の左右直近を配置方向に沿って、帯状ネット及び着脱部材押えネットと共に着脱部材をネットに固着し、着脱部材の互いが接し合う状態を形成した帯状着脱具と、
幅、長さが着脱部材の幅、長さに概ね一致し且つ、柔軟性と弾力性を有した板状基体の幅広面長手方向の略中心線上へ、帯状着脱具の厚さ相当の長さを有す棒状体を適当なる間隔で垂直配列させて設けると共に、棒状体先端は菱形状若しくは楕円状の鏃状部に形成した板状着脱具とから成り、
前記、帯状着脱具の二本のロープ状形態の着脱部材間へ板状着脱具の鏃状部及び棒状体を抜き差し容易として成る着脱装置。
【考案の詳細な説明】
【技術分野】
【０００１】  本案は貝類の育成に関し、天敵種、なかでも巻貝など体長の小さい生物による二枚貝への被害を未然に防ぐための二枚貝保護ネット並びに蓋ネット及びその着脱装置に関するものである。
【背景技術】
【０００２】  従来技術においては、ステンレス棒の骨組みを箱状に加工したもの（例えば、特許文献１参照）、また、箱の側面へ無数の穴を開け上部開口部に蓋をしてこれを干潟に載置するもの、そのほかネットを方形状に形成し上部開口部を独立したネットの蓋で覆ったもの（例えば、特許文献２参照）などが知られている。
【特許文献１】実願２００６−００９２５３
【特許文献２】実願２００７−０００９５７
【考案の開示】
【考案が解決しようとする課題】
【０００３】  従来の二枚貝の食害予防技術のほとんどは体長が大きいトビエイ、黒鯛など魚によるものが殆どでそれなりの対策も進んではいるが、使用に際して便利なファスナーなどの着脱具は砂の噛み込みや汚れの付着になどにより使用出来ず、作業者の出入りする開閉部の開閉作業は固定個所を１つ１つ着脱すると云う従来技法によるもので、能率も悪く極めて煩わしいものであった。【０００４】  一方、体長の小さい巻貝による被害対策は保護ネットの目を小さくする事で対応可能であるが、保護ネットの目詰まりによる栄養分の供給や酸欠など新たな問題の解決策に決め手がなく、現状は人海戦術により労力を駆使して養殖場の干潟から巻貝やその卵を拾い上げこれを取り除くと云う極めて効率の悪い手法によるもので、これに替わる新しい技術の開発が待たれていた。【０００５】  依って、本案は上述するこのような観点に鑑み開発したもので、天敵種に対しては優れた防御効果、作業者にあっては利便性の高い取り扱い易い二枚貝保護ネット並びに蓋ネット及びその着脱装置を提供するものである。
【課題を解決するための手段】
【０００６】  全体が概ね繊維素材によるネットで構成され、本体は上部及び底部に開口部を有し、上  部開口部は開閉に際し蓋ネット及び着脱装置を設けて成る方形状の立体形を呈した二枚貝保護ネットにおいて、
上記する本体の上部開口部全体を塞ぐ蓋ネットの形状が台形状或いは角錐状或いはドーム状の斜面を形成する立体形を呈し、該蓋ネットの底面は本体の上部開口部に一致し且つ、頭頂部へ浮体を設けて構成される蓋ネット並びに、細長い形状をした帯状ネットの長手方向の略中心線上へ、弾力性或いは柔軟性を有す二本のロープ状形態の着脱部材を並行配置し、上記する帯状ネットと同形状で同じ大きさから成る着脱部材押えネットでこれを覆い、二本の着脱部材の左右直近を配置方向に沿って帯状ネット及び着脱部材押えネットと共に着脱部材をネットに固着すると共に、着脱部材の互いが接し合う状態を形成した帯状着脱具と、
幅、長さが着脱部材の幅、長さに概ね一致し且つ、柔軟性と弾力性を有した板状基体の幅広面長手方向の略中心線上へ、帯状着脱具の厚さ相当の長さを有す棒状体を適当なる間隔で垂直配列させて設けると共に、棒状体先端は菱形状若しくは楕円状の鏃状部に形成した板状着脱具とから成り、
前記、帯状着脱具の二本のロープ状形態の着脱部材間へ板状着脱具の鏃状部及び棒状体を抜き差し容易として成る着脱装置を、前記する蓋ネットの底面及び本体の上部開口部の外周辺へ、帯状着脱具、板状着脱具のそれぞれ一長辺を固着して、帯状着脱具及び板状着脱具が重なり合う額縁状に設けて成る着脱装置を取り付けたものである。【０００７】  また、本案構成の蓋ネットにおいては、本体の上部開口部全体を塞ぐ蓋ネットの形状が台形状或いは角錐状或いはドーム状の斜面を形成する立体形を呈し、該蓋ネット底面は本体の上部開口部に一致する形状で且つ、頭頂部へ浮体を設けて構成したものである。【０００８】  また、本案の着脱装置においては、細長い形状をした帯状ネットの長手方向の略中心線上へ、弾力性或は柔軟性を有す二本のロープ状形態の着脱部材を並行配置し、上記する帯状ネットと同形状で同じ大きさから成る着脱部材押えネットでこれを覆い、二本の着脱部材の左右直近を配置方向に沿って、帯状ネット及び着脱部材押えネットと共に着脱部材をネットに固着し、着脱部材の互いが接し合う状態を形成した帯状着脱具と、
幅、長さが着脱部材の幅、長さに概ね一致し且つ、柔軟性と弾力性を有した板状基体の幅広面長手方向の略中心線上へ、帯状着脱具の厚さ相当の長さを有す棒状体を適当なる間隔で垂直配列させて設けると共に、棒状体先端は菱形状若しくは楕円状の鏃状部に形成した板状着脱具とから成り、
前記、帯状着脱具の二本のロープ状形態の着脱部材間へ板状着脱具の鏃状部及び棒状体を抜き差し容易として成るものである。
【考案の効果】
【０００９】  本案は以上説明したように構成されているので、以下に記載するような効果を奏する。【００１０】  本案二枚貝保護ネットはその殆どが繊維素材から構成されており、また使用しているその他部材も柔軟性を有す素材を使用している事から、干潮時の干潟における二枚貝保護ネットは、平面形状を成して概ね全体が砂面に接した状態を形成する。このような状態で波を受けると、その作用によりネットは砂と共に揉まれて洗われ、目詰まりの原因となる汚れや付着物の問題をこの砂との摩擦効果により、容易に解消することが出来る。【００１１】  更に、蓋ネット中央辺りへ設けた浮体により、蓋ネットは潮の満ち上がりによって持ち上げられ蓋ネットの有する形状斜面を形成する。これにより蓋ネット上へ波によって打ち上げられた砂や、洗われて出来たゴミ、汚れなどはこの斜面から転げ落ちて除去されると同時に、従来の天敵魚との保安距離もそのまま維持出来る。
尚、浮体は蓋ネットへ直接設ける他に、紐などで双方に距離間隔を設ける事で蓋ネットの洗浄時間を調整する事も可能である。【００１２】  上述するこのような効果により、今まで不可能と考えられていたネットの目の大きさを極めて小さくする事が可能となり、ネットへの小さな巻貝の侵入を阻止すると共に海水の入れ替えをも容易として、これら二枚貝の保護育成に確実に寄与する事が出来る。【００１３】  一方、上記する本案二枚貝保護ネットは干潟などに載置し、重石、杭などで固定若しくは埋設固定し、作業をしない場合は上部開口部は本案構成による着脱装置を介して蓋ネットで閉じておくものであるが、本案の着脱装置においては二本の並行配置した着脱部材が板状着脱具の棒状体を適当な弾力で挟むのに有効なほか、ネットと共に風波に柔軟に対応して応力を分散させるのに役立つ。また、二本の着脱部材を帯状ネット及び着脱部材押えネットのネット同士で縫合する事の意味は、着脱部材をネットに固定させるだけではなく、無数にある網目によって板状着脱具の棒状体を通す穴を設けたり、また使用時に穴を探したりする必要はなく、数ある棒状体を容易に素早く着脱部材へ通す事が可能となる。また着脱部材間へ通した棒状体もネットに阻まれて二本の着脱部材間を滑って前後動したり、ずれたりする事無く、二枚貝保護ネットの全体形状を安定的に保つ事が出来る。
尚、ロープ状形態としてロープそのもの他、ゴム、ビニールまた、これらをホース状にしたものなどが挙げられる。【００１４】  更に、本案着脱装置は２本の着脱部材間へ板状着脱具の鏃状部と共に棒状体を抜き差しする事で着脱を行うもので、ファスナーのような精密的な構造を一切有さず、砂などの固体は網目から抜け落ちるので砂を噛むと云うこともなく、またマジック布のように余計な付着物を取り込む構造でもなく、前記した如く簡素で、しかも壊れにくい構造となっている。従って、作業時における着脱動作を繰り返す事で着脱部の付着物は脱落し、綺麗になる。また、操作も板状着脱具を上下動させるだけの簡単な方法で着脱出来るので、開口部の開閉を極めて容易とし、作業効率も従来の紐で着脱する構造のものに比べ格段の差がある。【００１５】  また、棒状体先端の鏃状部の菱形状または楕円状の膨らみは、風波などの外因により棒状体が着脱部材から容易に離脱しないだけでなく、使用時において着脱部材間を徐々に広げて通し易い構造を成している。【００１６】  尚、本体のネット全体の目の大きさや帯状ネット及び着脱部材押えネットの目の大きさ、板状着脱具の棒状体の数など、また、浮体におけるその大きさや数、部分的或いは全体的若しくは、対角線のような線状配置にするなど使用環境に対応させて変え得る事は当然の事であり本案権利に含まれる事は云うまでもない。
【考案を実施するための最良の形態】
【００１７】
【実施例】
【００１８】  本案の二枚貝保護ネットの実施例について図１〜図６を参照して説明する。全体が概ね繊維素材によるネットで構成され、本体１は上部及び底部に開口部２，３を有し、上部開口部２は開閉に際し蓋ネット及び着脱具を設けて成る方形状の立体形を呈した二枚貝保護ネットにおいて、
上記する本体１の上部開口部２全体を塞ぐ蓋ネット１２の形状が台形状或いは角錐状或いはドーム状の斜面を形成する立体形を呈し、該蓋ネット１２の底面１３は本体１の上部開口部２に一致し且つ、頭頂部へ浮体１４を設けて構成される蓋ネット１２並びに、細長い形状をした帯状ネット４の長手方向の略中心線上へ、弾力性或いは柔軟性を有す二本のロープ状形態の着脱部材５を並行配置し、上記する帯状ネット４と同形状で同じ大きさから成る着脱部材押えネット６でこれを覆い、二本の着脱部材５の左右直近を配置方向に沿って帯状ネット４及び着脱部材押えネット６と共に着脱部材５をネットに固着すると共に、着脱部材５の互いが接し合う状態を形成した帯状着脱具７と、
幅、長さが着脱部材５の幅、長さに概ね一致し且つ、柔軟性と弾力性を有した板状基体８の幅広面長手方向の略中心線上へ、帯状着脱具７の厚さ相当の長さを有す棒状体９を適当なる間隔で垂直配列させて設けると共に、棒状体９先端は菱形状若しくは楕円状の鏃状部１０に形成した板状着脱具１１とから成り、
前記、帯状着脱具７の二本のロープ状形態の着脱部材５間へ板状着脱具１１の鏃状部１０及び棒状体９を抜き差し容易として成る着脱装置１５を、前記する蓋ネット１２の底面１３及び本体１の上部開口部２の外周辺へ、帯状着脱具７、板状着脱具１１のそれぞれ一長辺を固着して、帯状着脱具７及び板状着脱具１１が重なり合う額縁状に設けて成る着脱装置１５を取り付けたものである。（図１及び図６Ａ−Ａ断面図参照）。【００１９】  本案構成による蓋ネットの実施例について図面を参照して説明すると、図２、図３において、本体１の上部開口部２全体を塞ぐ蓋ネット１２の形状が台形状或いは角錐状或いはドーム状の斜面を形成する立体形を呈し、該蓋ネット１２の底面１３は本体１の上部開口部２に一致し且つ、頭頂部へ浮体１４を設けて構成されたものである。【００２０】  本案構成による着脱装置の実施例について図面を参照して説明すると、図４〜図６において、細長い形状をした帯状ネット４の長手方向の略中心線上へ、弾力性或いは柔軟性を有す二本のロープ状形態の着脱部材５を並行配置し、上記する帯状ネット４と同形状で同じ大きさから成る着脱部材押えネット６でこれを覆い、二本の着脱部材５の左右直近を配置方向に沿って、帯状ネット４及び着脱部材押えネット６と共に着脱部材５をネットに固着し、着脱部材５の互いが接し合う状態を形成した帯状着脱具７と、
幅、長さが着脱部材５の幅、長さに概ね一致し且つ、柔軟性と弾力性を有した板状基体８の幅広面長手方向の略中心線上へ、帯状着脱具７の厚さ相当の長さを有す棒状体９を適当なる間隔で垂直配列させて設けると共に、棒状体９先端は菱形状若しくは楕円状の鏃状部１０に形成した板状着脱具１１とから成り、前記、帯状着脱具７の二本のロープ状形態の着脱部材５間へ板状着脱具１１の鏃状部１０及び棒状体９を抜き差し容易として成るものである。
【図面の簡単な説明】
【００２１】
【図１】  本案、二枚貝保護ネット全体の斜視図である。
【図２】  本案、帯状着脱具を額縁状に設けた本体の斜視図である。
【図３】  本案、蓋ネットを角錐形状で構成した斜視図である。
【図４】  本案、帯状着脱具の斜視図▲イ▼及びＢ−Ｂ断面図▲ロ▼である。
【図５】  本案、板状着脱具の斜視図▲イ▼及びＣ−Ｃ断面図▲ロ▼である。
【図６】  図１における着脱装置を閉じた状態のＡ−Ａ要部断面図である。
【符号の説明】
【００２１】  １本体
２上部開口部
３底部開口部
４帯状ネット
５着脱部材
６着脱部材押えネット
７帯状着脱具
８板状基体
９棒状体
１０鏃状部
１１板状着脱具
１２蓋状ネット
１３底面
１４浮体
１５着脱装置
【図１】
0003137857.tif 000003
【図２】
0003137857.tif 000004
【図３】
0003137857.tif 000005
【図４】
0003137857.tif 000006
【図５】
0003137857.tif 000007
【図６】
0003137857.tif 000008